(57)【要約】【課題】荷物運搬用車両のウィング式に開閉する天井及び側壁パネルから構成される断面Ｌ字形の扉を断熱でき、これらパネルに使用される断熱材の厚さに無関係に、これらパネルを断面Ｌ字形状に連結できる手段を提供することである。【解決手段】本発明の手段は、荷物運搬用車両１０のウィング式に開閉する断面Ｌ字形の扉２０の天井パネル２１と側壁パネル２２とを連結する連結部材３０から構成される。連結部材３０は、断面Ｌ字形の板状の外枠材３１、及び断面Ｌ字形の板状の内枠材３２から構成される。外枠材３１の一端は、側壁パネル２２の外張材２２ａに取り付けられ、外枠材３１の他端は、天井パネル２１の外張材２１ａに取り付けられる。内枠材３２の一端は、側壁パネル２２の内張材２２ｂに取り付けられ、内枠材３２の他端は、天井パネル２１の内張材２１ｂに取り付けられる。【選択図】図３
2004142624.tif 000002
【特許請求の範囲】
【請求項１】
荷物運搬用車両のウィング式に開閉する断面Ｌ字形の扉の天井パネルと側壁パネルとを断熱的に連結する手段であって、
前記断面Ｌ字形の扉が、
板状の外張材と板状の内張材との間に断熱材をサンドイッチ状に挟み、前記断熱材によって前記外張材と前記内張材とが絶縁される天井パネル、及び
板状の外張材と板状の内張材との間に断熱材をサンドイッチ状に挟み、前記断熱材によって前記外張材と前記内張材とが絶縁される側壁パネル、
を有し、
当該手段が、
前記天井パネルと前記側壁パネルとを連結する連結部材、
から成り、
前記連結部材が、
前記天井パネルの外張材の表面上に配置される天井外張材取付片と、前記側壁パネルの外張材の表面上に配置される側壁外張材取付片とを有する断面Ｌ字形の板状の外枠材、及び
前記天井パネルの内張材の表面上に配置される天井内張材取付片と、前記側壁パネルの内張材の表面上に配置される側壁内張材取付片とを有する断面Ｌ字形の板状の内枠材、
から成り、
前記外枠材の天井外張材取付片が、前記天井パネルの外張材の表面に取り付けられ、前記外枠材の側壁外張材取付片が、前記側壁パネルの外張材の表面に取り付けられ、
前記内枠材の天井内張材取付片が、前記天井パネルの内張材の表面に取り付けられ、前記内枠材の側壁内張材取付片が、前記側壁パネルの内張材の表面に取り付けられ、
これにより、前記断面Ｌ字形の扉が組み立てられる、
ところの手段。
【請求項２】
前記天井パネルの断熱材が、前記天井パネルの一端から突き出し、この突き出した断熱材の部分が、前記外枠材と前記内枠材との間に位置し、この断熱部材の部分が、前記側壁パネルの一端面を受ける、請求項１の手段。
【請求項３】
前記連結部材によって前記天井パネルと前記側壁パネルとが連結されると、
前記天井外張材取付片の端部の位置が、前記天井内張材取付片の端部の位置よりも前記断面Ｌ字形の扉のコーナー側にあり、
前記側壁外張材取付片の端部の位置が、前記側壁内張材取付片の端部の位置よりも前記断面Ｌ字形の扉のコーナー側にある、請求項１の手段。
【請求項４】
前記外枠材と前記内枠材が、アルミニウムからなる、請求項１の手段。
【発明の詳細な説明】
【０００１】
【発明の属する技術分野】
本発明は、天井から側壁にわたる断面Ｌ字形のウィング式の扉を有する荷物運搬用車両において、この扉を断熱するための手段に関するものである。
【０００２】
【従来の技術】
図１に、ウィング式に開閉する断面Ｌ字形の扉を有する荷物運搬用の車両の斜視図を示す。車両１０は、内部に荷物を収容するための収容スペース１７と、収容スペース１７の前方側に一体的に連結したキャブ１１とから構成される。この収容スペース１７は、荷台１２と、荷台１２の前方の壁１３と、荷台１２の後方の壁１４と、荷台１２の前方の壁１３と後方の壁１４のそれぞれの上部中央の間に架設した梁１６に枢着され、収容スペース１７の天井から左右の側壁にわたる断面Ｌ字形の扉２０、２０とによって形成される。荷物の搬入、搬出は、前方の壁１３と後方の壁１４のそれぞれの上部に取り付けたアクチュエータ（図示せず）などを駆動して扉２０を回動させることにより収容スペース１７の側方に形成される開口全体で行われる。（ここで、後方の壁１４にも、荷物の搬入、搬出用の扉（図示せず）が設けられ得る。）また、荷台１２の床面の左右の側縁には煽り１５が枢着される。この煽り１５は、荷物の搬入、搬出の際に、扉２０とともに開かれ、作業の終了とともに、扉２０とともに閉じられる。この煽り１５の開閉は手動によりおこなわれるのが一般的である。
【０００３】
従来、ウィング式に開閉する断面Ｌ字形の扉２０、２０は、図４に示すように、扉２０が閉じているときに収容スペース１７の天井部分を形成するパネル（天井パネルという）２１と、収容スペース１７の側壁部分を形成するパネル（側壁パネルという）２２と、これらパネル２１、２２を連結する連結部材（図４に符号４０で示す連結部品）とから構成される。
【０００４】
これらパネル２１、２２は、それぞれ、薄い板状の外張材２１ａ、２２ａと内張材２１ｂ、２２ｂとを平行に間隔をあけて配置したものであり、肉、野菜などのように温度管理を要する荷物を収容スペース１７に収容するため、これらパネル２１、２２のそれぞれの外張材２１ａ、２２ａと内張材２１ｂ、２２ｂとの間に発泡ウレタンなどの断熱材２３、２４が配置され、扉２０の内部と外部との間の断熱を達成している。そして、これらパネル２１、２２を連結する連結部材は、図示のように、扉２０を回動させたときのパネル２１、２２同士の連結強度を確実にするため、断面多角形状のトラス構造を有する金属製の連結部品４０から構成され、この連結部品４０は、天井パネル２１の一端部分と側壁パネル２２の一端部分に取り付けられる（例えば、特許文献１参照）。
【０００５】
【特許文献１】
実開平５−５８４３２号公報（請求項１〜４、図１、２）
【０００６】
【発明の解決しようとする課題】
しかし、このような従来のウィング式に開閉する断面Ｌ字形の扉では、天井パネルと側壁パネルとを連結する連結部品が熱を伝導し易いアルミニウムなどの金属で構成されおり、この連結部品が収容スペースの内部から外部へと連続する構造となっているため、この連結部品を通じて収容スペースの内部と外部との間で熱交換が生じ、これにより、収容スペースの温度を所定の温度に維持できず、また天井及び側壁パネルの内側に結露が発生する、という問題がある。また、従来の連結部品は、その大きさを自由に変更できず、所定の厚さの断熱材を使用した天井及び側壁パネルにしか適合できず、天井及び側壁パネルに使用される断熱材の厚さを変更することができない、という問題がある。
【０００７】
本発明は、上記問題に鑑みてなされたものであり、したがって、荷物運搬用車両のウィング式に開閉する天井及び側壁パネルから構成される断面Ｌ字形の扉を断熱でき、これらパネルに使用される断熱材の厚さに無関係に、これらパネルを断面Ｌ字形状に連結できる手段を提供することを目的とするものである。
【０００８】
【課題を解決するための手段】
本発明は、荷物運搬用車両のウィング式に開閉する断面Ｌ字形の扉の天井パネルと側壁パネルとを断熱的に連結する手段である。
【０００９】
この断面Ｌ字形の扉は、天井パネルと側壁パネルとを有する。
【００１０】
天井パネルは、板状の外張材と板状の内張材との間に断熱材をサンドイッチ状に挟んだものであり、この断熱材によって外張材と内張材とが絶縁される。
【００１１】
また、側壁パネルは、板状の外張材と板状の内張材との間に断熱材をサンドイッチ状に挟んだものであり、この断熱材によって外張材と内張材とが絶縁される。
【００１２】
本発明の手段は、天井パネルと側壁パネルとを連結する連結部材から構成される。
【００１３】
この連結部材は、天井パネルの外張材の表面上に配置される天井外張材取付片と、側壁パネルの外張材の表面上に配置される側壁外張材取付片とを有する断面Ｌ字形の板状の外枠材、及び天井パネルの内張材の表面上に配置される天井内張材取付片と、側壁パネルの内張材の表面上に配置される側壁内張材取付片とを有する断面Ｌ字形の板状の内枠材から構成される。
【００１４】
連結部材の外枠材の天井外張材取付片は、天井パネルの外張材の表面に取り付けられ、外枠材の側壁外張材取付片は、側壁パネルの外張材の表面に取り付けられる。そして、連結部材の内枠材の天井内張材取付片は、天井パネルの内張材の表面に取り付けられ、内枠材の側壁内張材取付片は、側壁パネルの内張材の表面に取り付けられる。連結部材は、接着剤やリベットを使用して、天井及び側壁パネルに取り付けられる。これにより、断面Ｌ字形の扉が組み立てられる。
【００１５】
このように、断面Ｌ字形の扉を組み立てると、連結部材の外枠材が外部に露出し、内枠材が収容スペースに露出するが、これら外枠材と内枠材とが不連続であるため、この連結部材を通じて収容スペースの内部と外部との間で熱交換が行われない。
【００１６】
好適に、天井パネルの断熱材は、天井パネルの一端から突き出し、この突き出した断熱材の部分が、連結部材で天井パネルと側壁パネルとを連結したときに、連結部材の外枠材と内枠材との間に位置し、この断熱部材の部分が、側壁パネルの一端面を受ける。
【００１７】
また、連結部材によって天井パネルと側壁パネルとが連結されると、天井外張材取付片の端部の位置が、天井内張材取付片の端部の位置よりも断面Ｌ字形の扉のコーナー側にあり、側壁外張材取付片の端部の位置が、側壁内張材取付片の端部の位置よりも断面Ｌ字形の扉のコーナー側にある。これにより、断面Ｌ字形の扉をウィング式に開閉しているときなどに扉のコーナーに集中する応力を軽減できる。
【００１８】
連結部材の外枠材と内枠材は、軽量の金属材料からなり、好適に、アルミニウムからなる。
【００１９】
【発明の実施の形態】
本発明の実施の形態は、図１に示す荷物運搬用車両１０のウィング式に開閉する断面Ｌ字形の扉２０、２０の天井パネル２１と側壁パネル２２とを断熱的に連結する手段（図２及び３に符号３０で示す連結部材）である。
【００２０】
この断面Ｌ字形の扉２０、２０は、図示のように、天井パネル２１と側壁パネル２２とを有する。
【００２１】
天井パネル２１は、図２及び３に示すように、アルミニウム等の軽量の金属材料からなる薄い板状の外張材２１ａと板状の内張材２１ｂとの間に断熱材２３をサンドイッチ状に挟んだものであり、外張材２１ａと内張材２１ｂとは、この断熱材２３によって絶縁される。
【００２２】
また、側壁パネル２２は、アルミニウム等の軽量の金属材料からなる薄い板状の外張材２２ａと板状の内張材２２ｂとの間に断熱材２４をサンドイッチ状に挟んだものであり、外張材２２ａと内張材２２ｂとは、この断熱材２４によって絶縁される。
【００２３】
断熱材２３、２４として、硬質ウレタン、石綿、グラスウールなどの一般的に既知の断熱材料からなるものが使用される。
【００２４】
本発明の手段は、天井パネル２１と側壁パネル２２とを連結する連結部材３０から構成される（図２及び３を参照）。
【００２５】
この連結部材３０は、天井パネル２１の外張材２１ａの表面上に配置される天井外張材取付片３１ａと、側壁パネル２２の外張材２２ａの表面上に配置される側壁外張材取付片と３１ｂを有する断面Ｌ字形の板状の外枠材３１、及び天井パネル２１の内張材２１ｂの表面上に配置される天井内張材取付片３２ａと、側壁パネル２２の内張材２２ｂの表面上に配置される側壁内張材取付片３２ｂとを有する断面Ｌ字形の板状の内枠材３２から構成される。
【００２６】
連結部材３０の外枠材３１と内枠材３２は、それぞれ、アルミニウムなどの軽量の金属材料からなる。
【００２７】
図３に示すように、連結部材３０の外枠材３１の天井外張材取付片３１ａは、天井パネル２１の外張材２１ａの表面に取り付けられ、外枠材３１の側壁外張材取付片３１ｂは、側壁パネル２２の外張材２２ａの表面に取り付けられる。そして、連結部材３０の内枠材３２の天井内張材取付片３２ａは、天井パネル２１の内張材２１ｂの表面に取り付けられ、内枠材３２の側壁内張材取付片３２ｂは、側壁パネル２２の内張材２２ｂの表面に取り付けられる。
【００２８】
図示のように、連結部材３０は、接着剤３３やリベット３４などのような容易簡単な既知の手段により天井及び側壁パネル２１、２２に取り付けられる。
【００２９】
これにより、断面Ｌ字形の扉２０が組み立てられる。
【００３０】
このように、断面Ｌ字形の扉２０を組み立てると、連結部材３０の外枠材３１が外部に露出し、内枠材３２が収容スペース１７に露出するが、これら外枠材３１と内枠材３２とが不連続であるため、この連結部材３０を通じて収容スペース１７の内部と外部との間で熱交換が行われない。
【００３１】
図示のように、天井パネル２１の断熱材２３は、天井パネル２１の一端から突き出し、この突き出した断熱材２３の部分が、連結部材３０で天井パネル２１と側壁パネル２２とを連結したときに、連結部材３０の外枠材３１と内枠材３２との間に位置し、この断熱部材２３の部分が、側壁パネル２２の一端面を受ける。
【００３２】
また、連結部材３０によって天井パネル２１と側壁パネル２２とが連結されると、天井外張材取付片３１ａの端部の位置が、天井内張材取付片３２ａの端部の位置よりも断面Ｌ字形の扉２０のコーナー側にあり、側壁外張材取付片３１ｂの端部の位置が、側壁内張材取付片３２ｂの端部の位置よりも断面Ｌ字形の扉２０のコーナー側にある。これにより、断面Ｌ字形の扉２０をウィング式に開閉しているときなどに、扉２０のコーナーに集中する応力が軽減される。
【００３３】
【発明の効果】
本発明が以上のように構成されるので、以下のような効果を奏する。
【００３４】
本発明では、連結部材の外枠材が外部に露出し、内枠材が収容スペースに露出するが、これら外枠材と内枠材とが不連続であるため、この連結部材を通じて収容スペースの内部と外部との間で熱交換が行われないので、収容スペースの内部が結露しない。
【００３５】
また、本発明の連結部材が、断面Ｌ字形の板状の外枠材と内枠材をそれぞれ天井パネルと側壁パネルとに接着剤とリベットを使用して取り付けるだけの容易簡単な構成であるため、これら外枠材と内枠材の製造が容易であり、また断面Ｌ字形の扉の組み立ても容易である。さらに、天井及び側壁パネルに使用される断熱材の厚さに無関係に、これらパネルを断面Ｌ字形状に連結できる。
【図面の簡単な説明】
【図１】図１は、ウィング式に開閉する断面Ｌ字形の扉を備えた荷物運搬用車両の斜視図である。
【図２】図２は、本発明の、荷物運搬用車両のウィング式に開閉する断面Ｌ字形の扉の天井パネルと側壁パネルとを断熱的に連結する手段を備えた図１の荷物運搬用車両のＡ−Ａ線断面図である。
【図３】図３は、図２に符号Ｂで示す部分の拡大断面図である。
【図４】図４は、従来の、荷物運搬用車両のウィング式に開閉する断面Ｌ字形の扉の天井パネルと側壁パネルとを連結する連結部材を備えた図１の荷物運搬用車両のＡ−Ａ線断面図である。
【符号の説明】
１０・・・車両
１１・・・キャブ
１２・・・荷台
１３・・・前方の壁
１４・・・後方の壁
１５・・・煽り
１６・・・梁
１７・・・収容スペース
２０・・・扉
２１・・・天井パネル
２１ａ・・・外張材
２１ｂ・・・内張材
２２・・・側壁パネル
２２ａ・・・外張材
２２ｂ・・・内張材
２３、２４・・・断熱材
３０・・・連結部材
３１・・・外枠材
３１ａ・・・天井外張材取付片
３１ｂ・・・側壁外張材取付片
３２・・・内枠材
３２ａ・・・天井内張材取付片
３２ｂ・・・側壁内張材取付片
３３・・・接着剤
３４・・・リベット
４０・・・連結部品
【図１】
2004142624.tif 000003
【図２】
2004142624.tif 000004
【図３】
2004142624.tif 000005
【図４】
2004142624.tif 000006